(57)【特許請求の範囲】
【請求項１】
天井に設置された空調機の吹出口から吹き出した空気を浄化するための空気浄化装置であって、
前記吹出口から吹き出した空気を浄化するためのイオンを放出するイオン発生部を有する本体部と、
前記本体部を天井面における前記吹出口の下流側に固定するための取付手段と、
を備え、
前記本体部は、前記天井面とは反対側を向く搭載面を有し、当該搭載面に前記イオン発生部が固定された台座部と、前記搭載面から下方へ突出する形状を有し、前記イオン発生部を覆うカバー部とを有し、
前記カバー部における前記搭載面から下方に突出する周面には、前記空調機の吹出口から吹き出した空気を導入する導入口と、前記導入口から前記カバー部内部に導入され、空気とともに前記イオンを排出する排出口とが形成されている、
空気浄化装置。
【請求項２】
天井に設置された空調機の吹出口から吹き出した空気を浄化するための空気浄化装置であって、
前記吹出口から吹き出した空気を浄化するためのイオンを放出するイオン発生部と、前記イオン発生部が固定された台座部と、前記イオン発生部を覆うカバー部とを有し、前記カバー部には、前記空調機の吹出口から吹き出した空気を導入する導入口と、前記導入口から前記カバー部内部に導入され、空気とともに前記イオンを排出する排出口とが形成されている本体部と、
前記本体部を天井面における前記吹出口の下流側に固定するための取付手段と、
前記カバー部内部で、かつ、前記イオン発生部に対して前記導入口とは反対側に設けられ、前記カバー部内部の空気の流れを下方へ案内する案内手段と、
を備えている、
空気浄化装置。
【請求項３】
天井に設置された空調機の吹出口から吹き出した空気を浄化するための空気浄化装置で
あって、
前記吹出口から吹き出した空気を浄化するためのイオンを放出するイオン発生部を有す
る本体部と、
前記本体部を天井面における前記吹出口の下流側に固定するための取付手段と、
を備え、
前記本体部は、前記イオン発生部が固定された台座部と、前記イオン発生部を覆うカバ
ー部とを有し、
前記カバー部は、前記空調機から遠ざかる方向へ回転して開くことが可能である、
空気浄化装置。
【請求項４】
前記本体部は、前記台座部と前記天井面との間に介在して配置される少なくとも１つのスペーサを備え、
前記取付手段は、前記台座部を前記スペーサに固定する台座部固定部と、前記スペーサを前記天井面に固定するスペーサ固定部とを含む、
請求項１から３のいずれかに記載の空気浄化装置。
【請求項５】
前記スペーサ固定部は、ネジであり、
前記スペーサは、当該スペーサを前記天井面に固定する前記ネジが通るネジ穴を有しており、かつ、
前記台座部には、前記スペーサの前記ネジ穴と同じ平面配置になるように、開口が形成されている、
請求項４記載の空気浄化装置。
【請求項６】
前記カバー部内部で、かつ、前記イオン発生部に対して前記導入口とは反対側に設けられ、前記カバー部内部の空気の流れを下方へ案内する案内手段をさらに備えている、
請求項１に記載の空気浄化装置。
【請求項７】
前記案内手段は、前記カバー部の排出口の一部を埋めることにより、前記カバー部と一体成形されている、
請求項２または６に記載の空気浄化装置。
【請求項８】
前記カバー部は、前記空調機から遠ざかる方向へ回転して開くことが可能である、
請求項１、２、または４から７のいずれかに記載の空気浄化装置。
【請求項９】
前記カバー部は、カバー部本体と、前記カバー部本体から前記台座部側へ突出するヒンジ部とを有しており、
前記ヒンジ部は、前記台座部に回転自在に連結されている、
請求項１から８のいずれかに記載の空気浄化装置。
【請求項１０】
前記台座部の外部に露出する外周面に、前記イオン発生部に接続される電線を引き出すための引出し穴が形成されている、
請求項１から９のいずれかに記載の空気浄化装置。
【発明の詳細な説明】
【技術分野】
【０００１】
本発明は、天井に設置された空調機の吹出口から吹き出した空気を浄化するための空気浄化装置に関する。
【背景技術】
【０００２】
室内の天井に設置された空調機において、室内に供給される空気をイオンで浄化するために、特許文献１に記載されているように、ケーシング内部にイオン発生器が設置された空調機が従来より提案されている。この空調機では、ケーシング内部に取り込まれた空気をイオン発生器から発生したイオンによって浄化する。イオンによる空気の浄化によって、空気に含まれる臭いの元になる微粒子を分解したり、空気中のカビ菌を殺菌することができる。その後、浄化された空気は、ケーシング外部へ排出され、室内空間に供給される。
【先行技術文献】
【特許文献】
【０００３】
【特許文献１】特開平９−１７３６２号公報
【発明の概要】
【発明が解決しようとする課題】
【０００４】
しかし、このような空調機では、ケーシング内部に取り込まれた空気のすべてをイオン発生器から発生したイオンによって浄化した後にケーシング外部へ放出するため、浄化した空気を室内のある所定のエリアだけ供給することが困難である。例えば、複数の吹出口を有する空調機では、イオンで浄化された空気がすべての吹出口から吹き出すので、室内空間のうちとくに浄化した空気を送りたい所定のエリア（人が多く居るエリアなど）だけに向けて供給することが困難である。このため、所定のエリアに十分に浄化した空気を行き渡らせるためには、イオンを多量に発生しなければならず、コスト的に無駄が多い。
【０００５】
また、このようなイオン発生器を天井に設置された既存の空調機に組み込んで使用する場合、イオン発生器を組み込む作業は、非常に手間がかかる。しかも、イオン発生器がケーシング内部の空気流路に設置されることによって、空調機の風量低下や風切り音が発生するおそれもある。
【０００６】
本発明は、上記のような事情に鑑みてなされたものであり、浄化した空気を室内の所定のエリアに向けて供給することができ、しかも、既存の空調機との組合せが容易な空気浄化装置を提供することを目的とする。
【課題を解決するための手段】
【０００７】
上記課題を解決するためのものとして、本発明の請求項１に係る空気浄化装置は、天井に設置された空調機の吹出口から吹き出した空気を浄化するための空気浄化装置であって、前記吹出口から吹き出した空気を浄化するためのイオンを放出するイオン発生部を有する本体部と、前記本体部を天井面における前記吹出口の下流側に固定するための取付手段とを備え、前記本体部は、前記天井面とは反対側を向く搭載面に前記イオン発生部が固定された台座部と、前記搭載面から下方へ突出する形状を有し、前記イオン発生部を覆うカバー部とを有し、前記カバー部における前記搭載面から下方に突出する周面には、前記空調機の吹出口から吹き出した空気を導入する導入口と、前記導入口から前記カバー部内部に導入され、空気とともに前記イオンを排出する排出口とが形成されていることを特徴とするものである。
また、本発明の請求項２に係る空気浄化装置は、天井に設置された空調機の吹出口から吹き出した空気を浄化するための空気浄化装置であって、前記吹出口から吹き出した空気を浄化するためのイオンを放出するイオン発生部と、前記イオン発生部が固定された台座部と、前記イオン発生部を覆うカバー部とを有し、前記カバー部には、前記空調機の吹出口から吹き出した空気を導入する導入口と、前記導入口から前記カバー部内部に導入され、空気とともに前記イオンを排出する排出口とが形成されている本体部と、前記本体部を天井面における前記吹出口の下流側に固定するための取付手段と、前記カバー部内部で、かつ、前記イオン発生部に対して前記導入口とは反対側に設けられ、前記カバー部内部の空気の流れを下方へ案内する案内手段と、を備えていることを特徴とするものである。
また、本発明の請求項３に係る空気浄化装置は、天井に設置された空調機の吹出口から吹き出した空気を浄化するための空気浄化装置であって、前記吹出口から吹き出した空気を浄化するためのイオンを放出するイオン発生部を有する本体部と、前記本体部を天井面における前記吹出口の下流側に固定するための取付手段と、を備え、前記本体部は、前記イオン発生部が固定された台座部と、前記イオン発生部を覆うカバー部とを有し、前記カバー部は、前記空調機から遠ざかる方向へ回転して開くことが可能であることを特徴とするものである。
【０００８】
これら本発明の請求項１から３に係る空気浄化装置の構成によれば、ネジなどの取付手段を用いて、空気浄化装置の本体部を空調機の所定の吹出口の下流側に設置することにより、所定の吹出口から吹き出す空気を浄化し、浄化した空気を室内の所定のエリアに向けて供給することができる。
【０００９】
また、これら本発明の請求項１から３に係る空気浄化装置の構成によれば、本体部が空調機の所定の吹出口の下流側に設置されるので、空調機の内部に設置する場合と比較して、既存の空調機との組合せが容易である。
【００１１】
また、これら本発明の請求項１および２に係る空気浄化装置の構成によれば、導入口および排出口を有するカバー部がイオン発生部を覆うことによって、イオン発生部を保護するとともにイオンで浄化された空気およびイオンの流れを排出口から所定の向きに排出することができる。
とくに、本発明の請求項１に係る空気浄化装置の構成によれば、台座部の搭載面から下方に突出するカバー部の周面に形成された導入口を通して空調機の吹出口から吹き出す空気をカバー部内部に導入し、当該周面に形成された排出口からイオンで浄化された空気およびイオンを排出することが可能である。
また、本発明の請求項２に係る空気浄化装置の構成によれば、案内手段によって、カバー部の内部で浄化された空気を下方へ円滑に案内することができる。これにより、所定のエリアに向けて供給される浄化空気の量を増やすことができる。
また、本発明の請求項３に係る空気浄化装置の構成によれば、カバー部が空調機から遠ざかる方向へ回転して開くことが可能であるため、空調機に衝突することなく、カバー部を容易に開閉することが可能である。
【００１２】
さらに、前記本体部は、前記台座部と前記天井面との間に介在して配置される少なくとも１つのスペーサを備え、前記取付手段は、前記台座部を前記スペーサに固定する台座部固定部と、前記スペーサを前記天井面に固定するスペーサ固定部とを含むのが好ましい。
【００１３】
この構成によれば、１個または複数個のスペーサを台座部と前記天井面との間に介在して配置することによって、カバー部の導入口を吹出口の位置や風向きに合わせて位置決めができる。
【００１４】
さらに、前記スペーサ固定部は、ネジであり、前記スペーサは、当該スペーサを前記天井面に固定する前記ネジが通るネジ穴を有しており、かつ、前記台座部には、前記スペーサの前記ネジ穴と同じ平面配置になるように、開口が形成されているのが好ましい。
【００１５】
この構成によれば、天井面に対して同じ位置で、台座部またはスペーサのいずれかをネジ止めすることができる。すなわち、スペーサを選択的に使用することができる。したがって、天井面の所定の位置に、あらかじめアンカーを天井内部に埋め込むなどしてネジの取付場所を形成しておけば、共通のアンカーなどの取付場所で台座部またはスペーサのいずれかをネジ止めすることが可能になる。
【００１６】
さらに、本発明の請求項１に係る空気浄化装置は、前記カバー部内部で、かつ、前記イオン発生部に対して前記導入口とは反対側に設けられ、前記カバー部内部の空気の流れを下方へ案内する案内手段をさらに備えているのが好ましい。
【００１７】
この構成によれば、案内手段によって、カバー部の内部で浄化された空気を下方へ円滑に案内することができる。これにより、所定のエリアに向けて供給される浄化空気の量を増やすことができる。
【００１８】
また、前記案内手段は、前記カバー部の排出口の一部を埋めることにより、前記カバー部と一体成形されているのが好ましい。
【００１９】
この構成によれば、カバー部と一体形成された案内手段によって、カバー部の内部で浄化された空気を下方へ円滑に案内することができる。しかも、案内手段がカバー部の内周面で構成されているので、カバー部および案内手段の成形が非常に容易になる。
【００２０】
さらに、本発明の請求項１、２、または４から７のいずれかに係る空気浄化装置では、前記カバー部は、前記空調機から遠ざかる方向へ回転して開くことが可能であるのが好ましい。
【００２１】
この構成によれば、カバー部が空調機から遠ざかる方向へ回転して開くことが可能であるため、空調機に衝突することなく、カバー部を容易に開閉することが可能である。
【００２２】
さらに、前記カバー部は、カバー部本体と、前記カバー部本体から前記台座部側へ突出するヒンジ部とを有しており、前記ヒンジ部は、前記台座部に回転自在に連結されているのが好ましい。
【００２３】
この構成によれば、カバー部がカバー部本体から突出したヒンジ部の部分だけで台座部と連結されているので、カバー部の取り外しが容易である。
【００２４】
さらに、前記台座部の外部に露出する外周面に、前記イオン発生部に接続される電線を引き出すための引出し穴が形成されているのが好ましい。
【００２５】
この構成によれば、台座部の外周面に形成された引出し穴を通して、台座部の外周面から電線を引き出すことが可能である。そのため、天井面に沿った配線が非常に容易になる
【発明の効果】
【００２６】
以上説明したように、本発明の空気浄化装置によれば、浄化した空気を室内の所定のエリアに向けて供給することができる。しかも、本発明の空気浄化装置は、既存の空調機との組合せが容易である。
【図面の簡単な説明】
【００２７】
【図１】本発明の第１実施形態に係わる空気浄化装置が天井設置型の空調機の周囲に設置された状態を示す斜視図である。
【図２】図１の空気浄化装置の斜視図である。
【図３】図１の空気浄化装置の天井面に設置された状態の側面図である。
【図４】図１の空気浄化装置のカバー部を開いた状態を示す平面図である。
【図５】図４の台座部を天井に固定するためのネジ付近の拡大断面図である。
【図６】図４のカバー部の内側を示す斜視図である。
【図７】図１の空気浄化装置のスペーサを設置する途中の状態を示す斜視図である。
【図８】図７のスペーサのネジ穴の配置を示す平面図である。
【図９】図１の空気浄化装置によって空調機から吹き出された空気が浄化される様子を示す断面説明図である。
【図１０】本発明の第２実施形態に係わるカバー部の内周面によって案内部が形成された空気浄化装置の断面図である。
【図１１】本発明の空気浄化装置の変形例であるカバー部本体が台形形状の場合の斜視図である。
【図１２】本発明の空気浄化装置の他の変形例であるカバー部本体が台形の斜面が内側に湾曲した形状の場合の斜視図である。
【発明を実施するための形態】
【００２８】
（第１実施形態）
図１に示される第１実施形態の空気浄化装置１は、天井Ｃの天井面ＣＳに設置された空調機１００から吹き出された空気を浄化するものである。
【００２９】
空調機１００は、天井面ＣＳに沿って４方向に開口した吹出口１０１と、４箇所の吹出口１０１に囲まれた位置に下方に開口する吸込口１０２とを有している。
【００３０】
空気浄化装置１は、吹出口１０１の前方にそれぞれ設置され、イオンＰを発生させて吹出口１０１から吹き出した空気を浄化する。
【００３１】
図１に示される４基の空気浄化装置１は、天井面ＣＳに沿って配線されたハーネス２０を介して互いに電気的に接続されている。４基の空気浄化装置１のうち１基が親機であり、その他の子機へハーネス２０を介して電気系統が枝分かれしているので、４基の空気浄化装置１を一括して制御することが可能である。なお、ハーネス２０は、合成樹脂製のモールで被覆された状態で天井面ＣＳに配線される。
【００３２】
この空気浄化装置１は、図２〜４に示されるように、本体部２と、本体部２を天井面ＣＳにおける吹出口１０１の下流側（すなわち前方）に固定する取付手段とから構成されている。
【００３３】
図２〜４に示されるように、本体部２は、基本構成として、イオン発生部３と、台座部４と、カバー部５とを備えている。また、必要であれば、本体部２は、図７〜８に示されるように、吹出口１０１から吹き出される空気の高さや向きに合わせてカバー部５の導入口１４ａ、１４ｂ（図９参照）の高さを調整するためのスペーサ６を備えている、スペーサ６は、台座部４と天井面ＣＳとの間に設けられる。
【００３４】
イオン発生部３は、図９に示されるように、針状放電電極３ａと、その針状放電電極３ａを囲む環状誘導電極３ｂとを有している。イオン発生部３は、正極用および負極用の針状放電電極３ａをそれぞれ備えている。これらの針状放電電極３ａに電圧を印加することにより、吹出口１０１から吹き出した空気を浄化するためのイオンＰを発生する。イオンＰは、例えば、針状放電電極３ａに電圧を印加することにより、空気中の水分子を電離することにより生成される正イオン（例えば、Ｈ+（Ｈ2Ｏ）m（ｍは任意の自然数））および負イオン（例えば、Ｏ2-（Ｈ2Ｏ）n（ｎは任意の自然数））などである。
【００３５】
台座部４は、イオン発生部３が固定される台座である。イオン発生部３は、台座部４の搭載面４ｈ(天井面ＣＳとは反対側の面)に装着され、ネジ３４によって台座部４の搭載面４ｈに固定される。図４の例では、２個のイオン発生部３が１枚の台座部４の搭載面４ｈに搭載されているが、イオン発生部３は少なくとも１個あればよい。
【００３６】
また、図４に示されるように、台座部４には、３箇所の開口１７ａ、１７ｂ、１７ｃが開口している。
【００３７】
また、図２〜３および図７に示されるように、台座部４の両側面には、部分的に内側に凹んだ取付段部２２が形成されている。取付段部２２は、円弧状の滑らかな内周面を有している。この取付段部２２には、めねじ穴２３が形成されている。
【００３８】
また、台座部４の三方の側面には、他の空気浄化装置１と電気的に接続するためのハーネス２０を引き出すための引出し穴４ａ、４ｂ、４ｃが開口している。引出し穴４ａ、４ｂ、４ｃの大きさは、ハーネス２０およびそれを覆うモールが挿入することが可能な大きさに設定される。
【００３９】
また、台座部４には、引出し穴４ａ、４ｂ、４ｃのそれぞれと連通する貫通孔４ｅ、４ｆ、４ｇが形成されている。これらの貫通孔４ｅ、４ｆ、４ｇを通してハーネス２０は、イオン発生部３に接続される。
【００４０】
さらに、図３に示されるように、台座部４の両側面には、当該両側面から垂直に突出する円柱状の軸部２１が突設されている。
【００４１】
カバー部５は、イオン発生部３を覆う部材であり、台座部４に取り付けられる。カバー部５は、図２〜４、図６および図９に示されるように、カバー部本体１１と、ヒンジ部１２とを備えている。
【００４２】
カバー部本体１１は、円弧状の表面を有する長尺の覆いであり、ヒンジ部１２および案内部１３とともに合成樹脂で一体成形されている。
【００４３】
カバー部本体１１の半円筒形状の周面には、幅方向に延びる複数のスリット３０が形成されている。スリット３０は、図９に示される導入口１４ａ、１４ｂと、排出口１５ａ、１５ｂとを含むものである。
【００４４】
図９に示されるように、導入口１４ａ、１４ｂは、空調機１００の吹出口１０１から吹き出した空気Ａ１を導入するスリットである。排出口１５ａ、１５ｂは、導入口１４ａ、１４ｂからカバー部５内部に導入された空気およびイオンＰを排出するスリットである。
【００４５】
したがって、スリット３０のうち、空調機１００の吹出口１０１に近い方のスリットが導入口１４ａ、１４ｂ、遠い方のスリットが排出口１５ａ、１５ｂとなる。
【００４６】
また、図３〜４および図６に示されるように、カバー部本体１１の中央の縁部分には、係合部１１ａが形成されている。この係合部１１ａは、台座部４の中央に設けられた受け部４ｄと係合することにより、カバー部５を閉状態にロックすることが可能である。
【００４７】
また、本実施形態では、カバー部本体１１のうち台座部４の搭載面４ｈに対向する部分、例えば、係合部１１ａの両側に延びる縁には、鉄板などの磁性体(図示せず)が設けられている。このカバー部本体１１側の磁性体を台座部４の搭載面４ｈに設けられた２個の磁石３５に吸着することにより、カバー部５を閉じた状態を確実に保持できる。また、係合部１１ａと受け部４ｄとの係合を外して磁石３５の磁力に抗しながら手でカバー部５を開けば、カバー部５を容易に開閉することが可能である。
【００４８】
ヒンジ部１２は、図３および図９に示されるように、カバー部本体１１から台座部４側へ突出する。ヒンジ部１２はその穴１２ａにおいて、台座部４の両側面から外部に突出する軸部２１に回転自在に連結されている。
【００４９】
また、図３に示されるように、ヒンジ部１２および軸部２１は、本体部２のうち空調機１００から遠い側に配置されているので、カバー部５は、空調機１００に衝突しないように、空調機１００から遠ざかる方向へ回転して開くことが可能である、
スペーサ６は、図１および図７〜８に示されるように、吹出口１０１から吹き出される空気の高さや向きに合わせてカバー部５の導入口１４ａ、１４ｂの高さを調整するために、必要に応じて台座部４と天井面ＣＳとの間に介在して配置される。
【００５０】
図７〜８に示されるように、スペーサ６は、台座部４および他のスペーサ６と重ね合わせることが可能な形状をしており、スペーサ６の１段当たり所定の高さ（２０ｍｍ程度）だけ、導入口１４ａ、１４ｂの高さを調整することが可能である。
【００５１】
また、スペーサ６における天井面ＣＳに設置される面の形状およびネジ穴１６ａ〜１６ｃ等の平面配置は、台座部４における設置面形状および開口１７ａ〜１７ｃの平面配置と共通している。そのため、台座部４を固定するために天井面ＣＳに配置されたアンカー１０３をそのまま利用してスペーサ６を固定することが可能になる。
【００５２】
具体的には以下の通りである。
【００５３】
図８に示されるように、スペーサ６には、３箇所のネジ穴１６ａ、１６ｂ、１６ｃが開口している。
【００５４】
スペーサ６のネジ穴１６ａ、１６ｂ、１６ｃと台座部４の開口１７ａ、１７ｂ、１７ｃとは、互いに同じ平面配置になるように形成されている。そのため、台座部４を固定するために天井面ＣＳに配置されたアンカー１０３の位置に、スペーサ６のネジ穴１６ａ、１６ｂ、１６ｃを重ね合わせることができる。したがって、天井面ＣＳに対して同じ位置に配置されたアンカー１０３を用いて、台座部４またはスペーサ６のいずれかをネジ止めすることができる。
【００５５】
また、スペーサ６の三方の側面には、他の空気浄化装置１と電気的に接続するためのハーネス２０を引き出すための引出し穴６ａ、６ｂ、６ｃが開口している。引出し穴６ａ、６ｂ、６ｃの大きさは、台座部４の引出し穴４ａ、４ｂ、４ｃと同じ大きさであり、ハーネス２０およびそれを覆うモールが挿入することが可能な大きさに設定される。
【００５６】
また、スペーサ６には、引出し穴６ａ、６ｂ、６ｃのそれぞれと連通する貫通孔６ｄ、６ｅ、６ｆが形成されている。これらの貫通孔６ｄ、６ｅ、６ｆは、台座部４の貫通孔４ｅ、４ｆ、４ｇにそれぞれ連通することが可能であり、ハーネス２０は、これらの貫通孔６ｄ、６ｅ、６ｆ、４ｅ、４ｆ、４ｇを通して、台座部４の表面に設置されたイオン発生部３に接続することが可能である。
【００５７】
図７に示されるように、スペーサ６の両側面には、取付突起２６が形成されている。この取付突起２６には、側面固定ネジ３１ａ、３１ｂが挿入される開口２７が開口している。取付突起２６は、その先端が円弧状に丸まっている。
【００５８】
また、スペーサ６の両側面には、部分的に内側に凹んだ取付段部２４が形成されている。この取付段部２４には、めねじ穴２５が形成されている。取付段部２４は、円弧状の滑らかな内周面を有している。
【００５９】
第１実施形態の空気浄化装置１は、図６および図９に示されるように、案内部１３をさらに備えている。
【００６０】
案内部１３は、図６および図９に示されるように、カバー部５内部で、かつ、イオン発生部３に対して導入口１４ａ、１４ｂとは反対側に設けられ、カバー部５内部の空気の流れを下方へ案内する。案内部１３は、本発明の案内手段の概念に含まれるものである。
【００６１】
本体部２を天井面ＣＳに固定する取付手段は、例えば、ネジから構成され、具体的には
、台座部固定ネジ３３ａ、３３ｂ、３３ｃ(図４参照)と、側面固定ネジ３１ａ、３１ｂ（図７参照）と、スペーサ部固定ネジ３２ａ、３２ｂ、３２ｃ（図８参照）とから構成されている。これらのネジは、本発明の取付手段の概念に含まれる。
【００６２】
ここで、台座部固定ネジ３３ａ、３３ｂ、３３ｃ(図４参照)は、台座部４を天井Ｃに固定するネジである。側面固定ネジ３１ａ（図７参照）は、スペーサ６の側面と台座部４の側面とを固定するネジである。側面固定ネジ３１ｂ（図７参照）は、スペーサ６同士の側面を固定するネジである。スペーサ部固定ネジ３２ａ、３２ｂ、３２ｃ（図８参照）は、スペーサ部６を天井Ｃに固定するネジである。
【００６３】
なお、側面固定ネジ３１ａは、本発明の台座部固定部に含まれる概念である。
【００６４】
以上のように構成された空気浄化装置１では、以下のようにして天井Ｃに取り付けられる。
【００６５】
まず、台座部４を天井Ｃに直接ネジ止めする場合、台座部固定ネジ３３ａ、３３ｂ、３３ｃを台座部４の開口１７ａ、１７ｂ、１７ｃに挿入して、天井面ＣＳにおける所定の吹出口１０１の下流側に固定する。具体的には、図５に示されるように、天井Ｃにおける吹出口１０１の下流側の位置に埋め込まれたアンカー１０３の位置と開口１７ｃの位置を合わせた状態で、台座部固定ネジ３３ｃを開口１７ｃに挿通した状態で、アンカー１０３のめねじ穴１０４にねじ込む。これにより、台座部４は、天井面Ｃに沿って固定される。
【００６６】
また、スペーサ６を用いる場合には、まず、図７〜８に示されるように、最下層のスペーサ６をスペーサ部固定ネジ３２ａ、３２ｂ、３２ｃを用いて、空調機１００の吹出口１０１の下流側における天井面ＣＳに埋め込まれたアンカー１０３（図５参照）の位置にネジ止めする。その後、２段目のスペーサ６または台座部４を重ね合わせて側面固定ネジ３１ａ、３１ｂを用いてネジ止めする。
【００６７】
２段目のスペーサ６を取り付ける場合には、図７に示されるように、最下層のスペーサ６の取付突起２６を２段目のスペーサ６の取付段部２４に挿入し、その状態で側面固定ネジ３１ｂを取付突起２６の開口２７に挿入するとともに取付段部２４のめねじ穴２５にねじ込むことにより、スペーサ６同士が結合される。３段目のスペーサ６を取り付ける場合も同様である。
【００６８】
また、２段目以降に台座部４を取り付ける場合には、スペーサ６を積層する場合と同様に、スペーサ６の取付突起２６を台座部４の取付段部２２に挿入し、その状態で側面固定ネジ３１ａを取付突起２６の開口２７に挿入するとともに取付段部２２のめねじ穴２３にねじ込むことにより、台座部４とスペーサ６とが結合される。
【００６９】
つぎに、第１実施形態の空気浄化装置１を用いて、空調機１００の吹出口１０１から吹き出した空気Ａ１を浄化する方法について説明する。
【００７０】
図９に示されるように、まず、空調機１００の吹出口１０１から吹き出した空気Ａ１が、カバー部５の導入口１４ａ、１４ｂからカバー部５の内部に導入されると、イオン発生部３で発生したイオンＰによって、空気の一部が浄化される。空気およびイオンＰは、排出口１５ａ、１５ｂを通って、カバー部５の外部へ排出される。
【００７１】
また、カバー部５内部で浄化された空気の一部は、案内部１３によって、図９の下方流れＡ３のように下方へ案内され、排出口１５ａから下方へ排出され、カバー部５の外部を流れる空気Ａ２と合流して、室内に供給される。
【００７２】
さらに、第１実施形態のイオン発生部３から発生するイオンＰは、空気中の水分子を電離して分解した正イオンと負イオンとからなり、これらのイオンＰは水分子に覆われることにより比較的寿命が長い（このようなイオンＰは、発生から３秒程度の寿命がある。）。そのため、イオンＰの一部は、浄化した空気とともに室内に放出され、放出されたイオンＰにより室内の空気をさらに浄化することが可能である。
【００７３】
例えば、図９に示されるように、イオンＰの一部は、針状放電電極３ａの下方に位置するスリット３０を通してカバー部５の外部へ放出され、放出されたイオンＰは、カバー部５の外部を流れる空気Ａ２を浄化するとともに、空気Ａ２とともに室内の所定のエリアに供給され、所定のエリアの空気を重点的に浄化することが可能である。
【００７４】
（第１実施形態の特徴）
第１実施形態の空気浄化装置１では、ネジ３１〜３３などの取付手段を用いて本体部２を空調機１００の所定の吹出口１０１の下流側に設置することにより、所定の吹出口１０１から吹き出す空気を浄化し、浄化した空気を室内の所定のエリアに向けて供給することができる。
【００７５】
例えば、図１では、４方向の吹出口１０１の下流側すべてに空気浄化装置１が設置されているが、本発明では、４方向の吹出口１０１のうちのいずれか１つの下流側、例えば、人が多く居るエリアを向く吹出口１０１の下流側のみに、空気浄化装置１を設置することも可能である。これにより、所定のエリアに向けて浄化した空気およびイオンＰを供給することができ、浄化した空気を効果的に放出することが可能になる。
【００７６】
また、本体部２が、空調機１００の外側、具体的には、天井面ＣＳにおける空調機１００の吹出口１０１の下流側に設置されているので、空調機１００の内部に設置する場合と比較して、既存の空調機との組合せが容易である。
【００７７】
また、本体部２は、イオン発生部３が固定された台座部４と、イオン発生部３を覆うカバー部５とを有しており、カバー部５には、空調機１００の吹出口から吹き出した空気を導入する導入口１４ａ、１４ｂと、空気およびイオンＰを排出する排出口１５ａ、１５ｂとが形成されている。この構成によれば、導入口１４ａ、１４ｂおよび排出口１５ａ、１５ｂを有するカバー部５がイオン発生部３を覆うことによって、イオン発生部３を保護することが可能である。それとともにイオンＰで浄化された空気およびイオンＰの流れを排出口１５ａ、１５ｂから所定の向きに排出することができる。
【００７８】
さらに、第１実施形態の本体部２は、台座部４と天井面ＣＳとの間に介在して配置される少なくとも１つのスペーサ６を備えている。取付手段として、台座部４をスペーサ６に固定する台座部固定部である側面固定ネジ３１ａと、スペーサ６を天井面ＣＳに固定するスペーサ固定ネジ３２ａ、３２ｂ、３２ｃとを含んでいる。この構成によれば、１個または複数個のスペーサ６を台座部４と天井面ＣＳとの間に介在して配置することによって、カバー部５の導入口１４ａ、１４ｂを吹出口１０１の位置や風向きに合わせて位置決めができる。
【００７９】
また、スペーサ６は、スペーサ６を天井面ＣＳに固定するスペーサ固定ネジ３２ａ、３２ｂ、３２ｃが通るネジ穴１６ａ、１６ｂ、１６ｃを有しており、かつ、台座部４には、スペーサ６のネジ穴１６ａ、１６ｂ、１６ｃと同じ平面配置になるように、開口１７ａ、１７ｂ、１７ｃが形成されている。この構成によれば、台座部４とスペーサ６とが天井面にＣＳにネジ止めするためのネジ穴が同じ平面配置をしているので、天井面ＣＳに対して同じ位置に配置されたアンカー１０３を用いて、台座部４またはスペーサ６のいずれかをネジ止めすることができる。
【００８０】
例えば、空気浄化装置１を天井面ＣＳに最初に設置したときは、スペーサ６を用いずに台座部４を天井面ＣＳに直接ネジ止めしていたが、その後、空調機１００からの吹出空気の向きを変更するなどの理由でカバー部５の導入口１４ａ、１４ｂの高さを調整する必要が生じた場合には、台座部４を天井面ＣＳに固定するときに用いたアンカー１０３をそのまま用いて、増設されるスペーサ６を天井面ＣＳにネジ止めすることが可能になる。
【００８１】
また、第１実施形態の空気浄化装置１は、カバー部５内部で、かつ、イオン発生部３に対して導入口１４ａ、１４ｂとは反対側に設けられ、カバー部５内部の空気の流れを下方へ案内する案内部１３をさらに備えているので、案内部１３によって、カバー部５内部で浄化された空気を図９の下方流れＡ３のように下方へ円滑に案内することができる。これにより、所定のエリアに向けて供給される浄化空気およびイオンＰの量を増やすことができる。
【００８２】
さらに、第１実施形態では、カバー部５は、カバー部本体１１と、カバー部本体１１から台座部４側へ突出するヒンジ部１２とを有しており、ヒンジ部１２は、台座部４に回転自在に連結されている。このように、カバー部５は、カバー部本体１１から突出したヒンジ部１２の部分だけで台座部４と連結されているので、カバー部５の取り外しが容易である。
【００８３】
また、第１実施形態のヒンジ部１２および軸部２１は、本体部２のうち空調機１００から遠い側に配置されており、カバー部５は、空調機１００から遠ざかる方向へ回転して開くことが可能である、そのため、空調機１００に衝突することなく、カバー部５を容易に開閉できる。また、空調機の１００の真下に脚立を設置した場合、カバー部５を開けたときに空調機１００から遠い方へ退避されるので、カバー部５に邪魔されることなく空気浄化装置１の内部のメンテナンス作業等を容易に行うことができる。
【００８４】
また、第１実施形態では、台座部４の外部に露出する外周面に、イオン発生部３に接続される電気接続用の電線であるハーネス２０を引き出すための引出し穴４ａ、４ｂ、４ｃが形成されているので、台座部４の外周面からハーネス２０を引き出すことができる。そのため、天井面ＣＳに沿ったハーネス２０の配線が非常に容易になる。
【００８５】
また、第１実施形態では、各スペーサ６の外周面にも引出し穴６ａ、６ｂ、６ｃが形成されているので、スペーサ６を台座部４に重ね合わせて用いる場合でも、天井面ＣＳに沿ったハーネス２０の配線が非常に容易になる。
【００８６】
しかも、台座部４の引出し穴４ａ、４ｂ、４ｃの平面配置と、各スペーサ６の引出し穴６ａ、６ｂ、６ｃの平面配置とが同じであるので、スペーサ６を増設する場合でも、空気浄化装置１を最初に設置する際に天井面ＣＳに配線されたハーネス２０を、そのハーネスの位置を変更することなくそのまま利用することが可能になる。
【００８７】
第１実施形態では、案内部１３がカバー部本体１１およびヒンジ部１２とともに一体形成された例が示されているが、本発明はこれに限定されるものではなく、案内部１３をカバー部本体１１とは別体で製造しておき、カバー部本体１１に対して着脱自在に取付可能であってもよい。
【００８８】
（第２実施形態）
上記の第１実施形態では、カバー部５内部の空気の流れを下方へ案内する案内部１３がカバー部本体１１の内周面から突出して形成されているが、本発明はこれに限定されるものではなく、カバー部本体１１の内周面の壁そのものを案内部として用いてもよい。
【００８９】
具体的には、図１０に示されるように、案内部２８は、カバー部５のカバー部本体１１の内周面の一部のスリット３０のうち、最も下流側の排出口１５ｂ(図９参照)に相当するスリットの一部を埋めることにより、カバー部５のカバー部本体１１と一体成形されている。
【００９０】
第２実施形態では、カバー部本体１１の内周面を案内部２８として用いることによって、カバー部５内部で浄化された空気およびイオンＰを図１０の下方流れＡ３のように下方へ円滑に案内することができる。しかも、案内部２８がカバー部本体１１の内周面で構成されているので、カバー部５および案内部２８の成形が非常に容易になる。
【００９１】
なお、上記の第１〜２実施形態では、本体部を天井面に固定するための取付手段としてネジを例にあげて説明したが、本発明はこれに限定されるものではなく、本体部を天井面に固定できる手段であればいかなる手段を採用してもよい。ネジ以外にも、例えば、ボルト、ナットまたは釘など種々の取付手段を用いてもよい。
【００９２】
また、第１〜２実施形態では、カバー部５は、ヒンジ部１２を介して本体部２と連結されているが、カバー部５の落下防止のために、さらに、カバー部５と台座部４とをワイヤなどで連結しておくのが好ましい。
【００９３】
さらに、図７に示されるように、空調機１００の吹出口１０１から吹き出す空気流れの向きを調整するために、カバー部５の外側にエアウイングなどを取り付けてもよい。例えば、図７に示されるように、カバー部５の長手方向における両側面にエアウイングを取り付けるための取付穴３６を形成しておくのが好ましい。
【００９４】
なお、上記の第１〜２実施形態では、カバー部本体１１の形状が円弧状の表面を有する円柱を半分に割ったような形状をしている例が示されているが、本発明はこれに限定されるものではなく、種々の形状のカバー部本体を採用することが可能である。例えば、図１１に示されるような台形形状の場合や図１２に示されるような台形の斜面が内側に湾曲した形状のカバー部本体１１を採用してもよい。これらの場合も、上記の第１〜２実施形態と同様の効果を奏することが可能である。
【００９５】
また、カバー部本体１１に形成されたスリット３０の形状を変更してもよく、例えば、スリット３０の幅を広くしてもよい。
【符号の説明】
【００９６】
１  空気浄化装置
２  本体部
３  イオン発生部
４  台座部
５  カバー部
６  スペーサ部
１１  カバー部本体
１２  ヒンジ部
１３  案内部
１４ａ、１４ｂ  導入口
１５ａ、１５ｂ  排出口
１６ａ、１６ｂ、１６ｃ  ネジ穴
１７ａ、１７ｂ、１７ｃ  開口
３０  スリット
３１ａ  側面固定ネジ（台座部固定部）
３１ｂ  側面固定ネジ
３２ａ、３２ｂ、３２ｃ  スペーサ固定ネジ（スペーサ固定部）
３３ａ、３３ｂ、３３ｃ  台座部固定ネジ
１００  空気調和機
１０１  吹出口
Ｃ  天井
ＣＳ  天井面
【図１】
0005684497.tif 000002
【図２】
0005684497.tif 000003
【図３】
0005684497.tif 000004
【図４】
0005684497.tif 000005
【図５】
0005684497.tif 000006
【図６】
0005684497.tif 000007
【図７】
0005684497.tif 000008
【図８】
0005684497.tif 000009
【図９】
0005684497.tif 000010
【図１０】
0005684497.tif 000011
【図１１】
0005684497.tif 000012
【図１２】
0005684497.tif 000013